(57)【要約】【課題】  電算機用空気調和システムの冷媒配管構成において、室内機１台に対して室外機の台数や、室内機・室外機間との冷媒配管の系統本数を選択できるシステム仕様を提供する。【解決手段】  電算機用空気調和システム８１の冷媒配管構成において、２冷媒回路を有する１台の室内機４に対して同一容量の１台の室外機１４を用いる場合は、液側冷媒配管２２を２個の液側冷媒配管に分岐させる液側連結配管１６と、ガス側冷媒配管２０を２個のガス側冷媒配管に分岐させるガス側連結配管１５を用いて、室内機４と室外機１４間の冷媒配管を１系統とする。【選択図】  図２
2006275457.tif 000002
【特許請求の範囲】
【請求項１】
電算機を冷却対象とし、N個（但し、Ｎは２以上）の冷媒回路を有する１台の室内機を備える空気調和システムであって、
Ｎ個の室外機と、前記１台の室内機のＮ個の液管と前記Ｎ個の室外機のうち対応する室外機の液管とをそれぞれ接続するＮ個の液側冷媒配管と、前記１台の室内機のＮ個のガス管と前記Ｎ個の室外機のうち対応する室外機のガス管とをそれぞれ接続するＮ個のガス側冷媒配管とを備えるか、又は、
室外機と、前記室外機の液管に接続される液側冷媒配管と、前記室外機のガス管に接続されるガス側冷媒配管と、前記液側冷媒配管をＮ個の液側冷媒配管に分岐させる液側連結配管と、前記ガス側冷媒配管をＮ個のガス側冷媒配管に分岐させるガス側連結配管と、前記液側連結配管で分岐された前記Ｎ個の液側冷媒配管を前記１台の室内機のＮ個の液管にそれぞれ接続するＮ個の液側冷媒配管と、前記ガス側連結配管で分岐された前記Ｎ個のガス側冷媒配管を前記１台の室内機のＮ個のガス管にそれぞれ接続するＮ個のガス側冷媒配管とを備えるかを選択可能であることを特徴とする空気調和システム。
【請求項２】
Ｎ＝２であることを特徴とする請求項１に記載の空気調和システム。
【請求項３】
室外機は圧縮機を備えることを特徴とする請求項１又は２に記載の空気調和システム。
【請求項４】
液側連結配管及びガス側連結配管の径及び形状は、それぞれ接続される液側冷媒配管及びガス側冷媒配管の径及び形状に対応していることを特徴とする請求項１〜３のいずれか１項に記載の空気調和システム。
【請求項５】
液側連結配管及びガス側連結配管は、室内機側に接続される分岐配管系統のうち少なくとも１系統に設置された配管ポートと、前記配管ポートの前後にそれぞれ設置された第１閉止弁及び第２閉止弁とを備えたことを特徴とする請求項１〜４のいずれか１項に記載の空気調和システム。
【請求項６】
１台の室内機における少なくとも１つの冷媒回路のみを運転し、その他の少なくとも１つの冷媒回路の運転を停止する片側冷媒回路メンテナンスモードを有する制御手段を備えたことを特徴とする請求項１〜５のいずれか１項に記載の空気調和システム。
【発明の詳細な説明】
【技術分野】
【０００１】
本発明は、冷媒圧縮式の冷媒回路を有し、冷房や暖房等を行う、電算機を冷却対象とする直膨式空気調和システムに関するものである。 
【背景技術】
【０００２】
図５は、従来の圧縮機が室外機側に設置されたスプリット型の電算機用空気調和システムの構成（16、20馬力システム）及び冷媒配管系統を示す概念図である。図５において、1６・２０馬力の空気調和システム８３は、室内機６１、第１室外機６２ａ、第２室外機６２ｂ、冷媒配管（ガス／液）６３ａ、６３ｂ、集中操作機６５及び集中操作機６５と第１室外機６２ａ及び第２室外機６２ｂとを結ぶ伝送線６４ａ、６４ｂを備える。このように1６馬力を超えるシステムでは室内機1台に対し、室外機２台の構成になっており、冷媒回路は２冷媒回路の構成となっている（特許文献１及び非特許文献１参照。）。
【０００３】
図６は、従来の圧縮機が室外機側に設置されたスプリット型の電算機用空気調和システムの構成（10馬力システム）及び冷媒配管系統を示す概念図である。1０馬力システムの空気調和システム８４は室内機７１、室外機７２、冷媒配管（ガス／液）７３ａ、７３ｂ、集中操作機６５及び集中操作機７５と室外機７２とを結ぶ伝送線７４を備える。このように、空気調和システム８４は、室内機７１の1台に対し1台の室外機７２の構成となっている。
【０００４】
図７は、従来の圧縮機が室内機側に設置されたリモート型の電算機用空気調和システムのリニューアル対象物件のシステム構成及び冷媒配管系統の一例を示す図である。空気調和システム８２では、1台の室内機３１に対し、２台の室外機３４ａ、３４ｂの構成（点線で示したように、他メーカでは１台の室外機３５の場合もある。）になっており、冷媒回路は２冷媒回路の構成となっている（非特許文献２参照。）。
【０００５】
このように、電算機用空気調和システムの各メーカにおいては、上記のスプリット型システム、リモート型システムのいずれか又は両方のシステムを有しているが、いずれの空気調和システムにおいても、システム構成として、室内機1台に対して室外機の仕様は決められている。
【０００６】
【特許文献１】特開２００２−２３５９５９号公報（図１）
【非特許文献１】三菱電機製電算機用空気調和システム（R407C対応、インバータ）サービスハンドブック、Ｐ1
【非特許文献２】三菱電機電算室用パッケージエアコン設計・工事マニュアル（PAD-機種）、Ｐ1２
【発明の開示】
【発明が解決しようとする課題】
【０００７】
従来の電算機用空気調和システムの冷媒配管システム構成において、電算機用空気調和システムの各メーカにおいては、背景技術に示したいずれかの機種構成パターンをラインナップしているが、いずれの空気調和システムにおいても、システム構成として、室内機1台に対して室外機の台数や冷媒配管系統の数等の仕様は決められていて、室外機の台数や室内機・室外機間の冷媒配管の系統本数を選択することはできなかった。
【０００８】
例えば、電算機用空気調和システムのリニューアル対応として、室内機・室外機間の既存配管を流用したい物件で、現行の空気調和システムが、圧縮機が室内機側に設置されたリモート型空気調和システムであって冷媒がR22のシステムの場合で、室内機1台に対し、室内機・室外機間の冷媒配管は２系統（ガス／液：各2）であり、リニューアル後の空気調和システムとして、圧縮機が室外機側に設置されたスプリット型の空気調和システムを導入したい場合、室内機に対して同一容量の室外機の1：1接続の空気調和システムしかない状況では、既存配管を流用できないという問題があった。
【０００９】
また、逆に、現行の空気調和システムが、室内機1台に対し室内機・室外機間の冷媒配管は1系統（ガス／液：各１）である場合で、リニューアル後の空気調和システムとして、圧縮機が室外機側に設置されたスプリット型の空気調和システムを導入したい場合、冷媒配管が２系統の空気調和システムのみのラインナップ状況では、配管１系統の増設が必要となるなど、結果として客先の要求仕様に柔軟かつ容易に応えられるシステム仕様を備えていないという問題があった。
【００１０】
また、工事性を考慮して室内機・室外機間の冷媒配管を1系統にしたい場合や室内機・室外機間の冷媒配管破損時に、空気調和システムが完全に止まってしまうことを避けるために冷媒配管を２系統にしたいような場合等において、従来の電算機用空気調和システムでは容易に対応することが困難であった。
【００１１】
このように、従来の空気調和システムでは、同一メーカにおいて室内機1台と室内機の容量に対して1/2の能力の室外機２台の接続（２冷媒系統）、又は、室内機1台と室内機の容量に対して同一容量の１台の室外機の接続（１冷媒系統）の選択ができないため、上記のような様々な問題があった。
【００１２】
本発明は、このような課題を解決するためになされたもので、電算機用空気調和システムのリニューアル対応時等、リニューアル後の空気調和システムの構成選択において、既存配管の流用や冷媒配管系統システム等に関する客先の要求仕様に柔軟かつ容易に応えられる空気調和システムを提供することを目的とする。
【課題を解決するための手段】
【００１３】
上記の目的を達成するために、本発明に係る空気調和システムは、電算機を冷却対象とし、N個（但し、Ｎは２以上）の冷媒回路を有する１台の室内機を備える空気調和システムであって、Ｎ個の室外機と、１台の室内機のＮ個の液管とＮ個の室外機のうち対応する室外機の液管とをそれぞれ接続するＮ個の液側冷媒配管と、１台の室内機のＮ個のガス管とＮ個の室外機のうち対応する室外機のガス管とをそれぞれ接続するＮ個のガス側冷媒配管とを備えるか、又は、室外機と、室外機の液管に接続される液側冷媒配管と、室外機のガス管に接続されるガス側冷媒配管と、液側冷媒配管をＮ個の液側冷媒配管に分岐させる液側連結配管と、ガス側冷媒配管をＮ個のガス側冷媒配管に分岐させるガス側連結配管と、液側連結配管で分岐されたＮ個の液側冷媒配管を１台の室内機のＮ個の液管にそれぞれ接続するＮ個の液側冷媒配管と、ガス側連結配管で分岐されたＮ個のガス側冷媒配管を１台の室内機のＮ個のガス管にそれぞれ接続するＮ個のガス側冷媒配管とを備えるかを選択可能であることを特徴とする。
【００１４】
さらに、室外機は圧縮機を備えることを特徴とする。
さらに、液側連結配管及びガス側連結配管の径及び形状は、それぞれ接続される液側冷媒配管及びガス側冷媒配管の径及び形状に対応していることを特徴とする。
さらに、液側連結配管及びガス側連結配管は、室内機側に接続される分岐配管系統のうち少なくとも１系統に設置された配管ポートと、配管ポートの前後にそれぞれ設置された第１閉止弁及び第２閉止弁とを備えたことを特徴とする。
さらに、１台の室内機における少なくとも１つの冷媒回路のみを運転し、その他の少なくとも１つの冷媒回路の運転を停止する片側冷媒回路メンテナンスモードを有する制御手段を備えたことを特徴とする。
【発明の効果】
【００１５】
本発明に係る電算機を冷却対象とする空気調和システムにより、室内機・室外機間における冷媒配管系統の数及び室外機の数の選択が可能となる。これにより、客先にとって、空気調和システムの導入の際、室内機の設置場所と室外機の設置場所間の冷媒配管について省工事性を重視して１冷媒回路を希望する場合、又は、ガス漏れ時に完全なユニット停止に至る危険性を低減したい等の理由によりN（但し、Ｎは２以上）冷媒回路を希望する場合があるが、いずれの場合にも標準仕様として対応が可能となる。従って、客先の要求仕様に柔軟かつ容易に応えられる範囲を広げることが可能となる。
【００１６】
また、空気調和システムのリニューアル時において、既存の冷媒配管径及び接続方法に幅広く対応できるので、既存の冷媒配管が流用できるケースが増加し、省工事性、工事コスト削減及び環境保護につながる。
【００１７】
また、N冷媒回路の空気調和システムを選択した場合、室外機の設置スペースの問題制約条件が減少する。すなわち、室内機1台に対して室外機1台接続の場合、室外機の構造寸法上、設置スペースに設置できない状況であっても、室内機1台と室内機の容量に対して１／Ｎの能力の室外機Ｎ台を接続する空気調和システムを選択することにより、各室外機を小さい設置スペースＮ箇所に分散して設置することが可能となる。
【００１８】
また、1冷媒回路の空気調和システムを選択した場合、連結配管の先端部分を電算室外に設置できるので、室内機側熱交換器のメンテナンスや交換等の際の冷媒回収、真空引及び冷媒充填等の作業において、ボンベ、真空引装置及び配管接続用工具（ロウ付治具）等の工具類を電算機室内に持込むことなく、電算室外において作業が可能となるため、電算室の環境に悪影響を与えることを防止できる。
【発明を実施するための最良の形態】
【００１９】
実施の形態１．
図1は、本発明の実施の形態１に係る電算機用空気調和システムにおいて、室内機の容量に対して1/2容量の室外機を用いる1：1/2×２台接続の場合のシステム構成及び冷媒配管系統の概念図である。図１に示すように、空気調和システム８０は、蒸発器１ａ、１ｂ、冷媒絞り装置２ａ、２ｂから成る冷媒回路、送風機３及びマイコン搭載基板から成る制御機器等を有する室内機４と、圧縮機５ａ、アキュームレータ６ａ、凝縮器７ａ等から成る冷媒回路、送風機８ａ及びマイコン搭載基板から成る制御機器等を有する第１室外機９及び室外機９と同一仕様の第２室外機１０と、第１室外機９及び第２室外機１０と室内機４とをつなぐガス側冷媒配管１１ａ、１１ｂ、液側冷媒配管１２ａ、１２ｂ及び第１室外機９及び第２室外機１０内に設置されるバルブ１３ａ、１３ｂ等から構成される。このように、空気調和システム８０は、室内機４の容量に対して、1/2前後の容量の室外機９、１０を用いる1：1/2×２のシステム構成となっている。
【００２０】
次に、上記空気調和システムにおける冷媒回路内の冷媒の流れについて説明する。２冷媒回路のシステム構成パターンとして、図１に示したように、圧縮機５ａで圧縮された高温・高圧のガス冷媒が、凝縮器７ａにより凝縮され、液化された液冷媒が、冷媒絞り装置２ａを通り低圧の液冷媒となり、蒸発器１ａを経て蒸発しガス冷媒となり、圧縮機５ａに戻り冷媒サイクルを完結する。また、蒸発器１ａと１ｂとは同一の室内機４内に設置されるが、図１に示したように独立した冷媒回路を構成している。
【００２１】
次に、図２は、実施の形態１に係る電算機用空気調和システムにおいて、図１の室内機と同一仕様の室内機４の容量に対して、同一容量の室外機１４を用いる1：1接続の場合のシステム構成及び冷媒配管系統の概念図である。ガス側連結配管１５により、室内機４のガス側配管出口１７ａ、１７ｂと室外機１４のガス側入口バルブ１９から出ているガス側冷媒配管２０とを結び、また、液側連結配管１６により、室内機４の液側配管入口１８ａ、１８ｂと室外機１４の液側出口バルブ２１から出ている液側冷媒配管２２とを結ぶことにより、それぞれ冷媒配管を合流させて１系統とする冷媒配管系統となっている。
【００２２】
図２に示したように、１冷媒回路のシステム構成パターンとして、室内機４における蒸発器１ａ、１ｂのガス側配管出口１７ａ、１７ｂと室外機１４におけるガス側冷媒配管２０との間を接続するガス側連結配管１５、及び、室内機４における蒸発器１ａ、１ｂの液側配管入口１８ａ、１８ｂと室外機１４における液側冷媒配管２２との間を接続する液側連結配管１６により、室内機４と室外機１４間の冷媒配管は1系統となる。また、ガス側連結配管１５及び液側連結配管１６の実施の形態については、後述する。
【００２３】
次に、本実施の形態１における効果について説明する。
電算機を冷却対象とする電算機用空気調和システムの導入の際、例えば、客先においては室内機を設置する場所と室外機を設置する間の配管について、省工事性を重視して１冷媒回路を希望する場合、あるいは、ガス漏れ時に完全なユニット停止に至る危険性を低減したい等の理由により２冷媒回路を希望する場合に対して、従来は選択できる余地がない状況であったが、本発明に係る空気調和システムは、室内機の容量に対して同一容量の室外機の1：1接続又は、室内機の容量に対して1/2前後の容量の室外機を用いる1：1/2×２接続のシステム構成の選択を可能とするため、いずれの場合にも標準仕様として対応が可能となる。
【００２４】
また、近年、工事コスト削減、環境問題への対応から、HFC冷媒を使用する空気調和システムへのリニューアル対応の際に、CFC冷媒やHCFC冷媒の冷凍サイクル装置で使用した接続配管を再利用するケースが増加している。例えば、図７に示したような電算機用空気調和システムのリニューアル対応として、室内機・室外機間の既存配管を流用したい物件であって、現行の空気調和システム８２が、冷却器２３、再熱器２４、電磁弁２５、圧縮機２６等から成る冷媒回路、送風機２７、加湿器２８、温度調節器２９、電気ヒータ３０、制御基板等を有する室内機３１と、凝縮器３２ａ、３２ｂ、送風機３３ａ、３３ｂ等からなる室外機３４ａ、３４ｂ（又は、大容量の室外機３５）と、室外機３４ａ、３４ｂ（又は、大容量の室外機３５）と室内機３１をつなぐ冷媒配管３６ａ、３６ｂ（ガス、液各１）から構成され、図３に示したような室内機・室外機間の冷媒配管が２系統（ガス／液：各２）である場合で、リニューアル後のシステムとして、圧縮機が室外機側に設置されたスプリット型の空気調和システムを導入したい場合、図１に示したような１冷媒配管系統の空気調和システムしか選択できない状況であれば、既存配管の配管径が不足している場合が多いことにより、HFC等の他冷媒種への変更した際、配管径以外の仕様部分においてはそのまま既存配管を使用できる仕様のものであっても、既存配管を流用できないケースが多かった。
【００２５】
また、逆に、現行の空気調和システムが、室内機1台に対し室内機・室外機間の冷媒配管は1系統（ガス／液：各1）であり、リニューアル後の空気調和システムとして、圧縮機が室外機側に設置されたスプリット型の空気調和システムを導入したい場合、冷媒配管が２系統のシステムのみが選択できるというラインナップ状況では、１系統は既存配管を流用できるが、結局もう１系統の冷媒配管の増設が必要となる為、既存配管を流用する効果が半減してしまう。
【００２６】
しかし、本発明の実施の形態１に係る空気調和システムにおいては、２冷媒回路を有し、冷媒回路が互いに独立である室内機１台に対して、1/2の容量の室外機２台を接続する場合は室内機・室外機間の冷媒配管を２系統とし、一方、同一容量の室外機を用いる場合は２つの連結配管を用いて室内機・室外機間の冷媒配管を１系統とすることを可能としたシステム構成を有することにより、上記の問題点は解消され、結果としてリニューアル対応時に、省工事性や環境対応、工事コスト削減等の実現が可能となる。
【００２７】
また、本発明の実施の形態１に係る空気調和システムは、室内機1台と室内機の容量に対して1/2の能力の室外機を２台接続（２冷媒系統）、又は、室内機の容量に対して同一容量の室外機の1：1接続の選択が可能であることにより、室外機の設置スペースの問題制約条件が減少する。すなわち、室内機1台に対して室外機1台接続の場合、室外機の構造寸法上、幅・奥行方向が1/2の能力の室外機に対してそれぞれ２倍となるため、寸法が大きすぎることにより設置スペースに設置できない状況であっても、室内機1台と室内機の容量に対して1/2の能力の室外機２台を接続する空気調和システムを選択することにより、各室外機を小さい設置スペース２箇所に分散して設置することが可能となる。以下に、その一例を示す。
【００２８】
図３は、実施の形態１に係る電算機用空気調和システムにおいて、室内機1台と室内機の容量に対して1/2の能力の室外機２台の接続時（２冷媒系統）、又は、室内機の容量に対して同一容量の室外機の1：1接続の選択時に、室外機の設置スペースに制約がある場合の室外機設置場所の状況の一例を示す図である。例えば、電算機室に新たに同一メーカの同仕様の室内機を増設したい場合、現状の室外機設置場所の状況は図３（ａ）に示すようにすでに室外機が複数設置されている状況であったとすると、空スペース３７、３８に図３（ｂ）に示す1：1接続の室外機３９の設置を行う場合、室外機３９の設置スペースが空スペース３７、３８よりも大きいため設置が困難な状況となる。しかし、図３（ｃ）に示すように、室内機1台と室内機の容量に対して1/2の能力の室外機４０ａ、４０ｂの２台を接続する２冷媒系統の空気調和システムを選択することにより、２箇所の空スペース３７、３８に各々室外機４０ａ、４０ｂの設置が可能となる。なお、この場合には室外機４０ａ、４０ｂの間の距離は、室内機と室外機の配管許容距離内での設置が可能である。
【００２９】
実施の形態２．
図４は、本発明の実施の形態２に係る電算機用空気調和システムにおいて、２冷媒回路を有し冷媒回路が独立な室内機1台に対して、同一容量の１台の室外機を用いる場合で、室内機・室外機間の冷媒配管を1系統とする場合の連結配管の一例を示す図（すなわち、図２に記したガス側連結配管１５の詳細図）である。
【００３０】
図４（ａ）は、本発明に係る２０馬力の空気調和システムにおける、ガス側連結配管の標準的な例として、合流後配管φ28.58（室外機側）、分岐配管φ22.2（室内機側）から構成される連結配管を示す。また、液側連結配管は標準的な例として、合流後配管φ19.05（室外機側）、分岐配管φ12.7（室内機側）から構成されるが、仕様的には同等のため、以下にはガス側連結配管について説明を行う。
【００３１】
図４（ａ）において、ガス側連結配管１５は、連結配管（室外側）４５、連結配管（室内側）４６ａ、４６ｂ及びそれらの集合するパンツ部分４１等からなる。配管先端部分４２ａ、４２ｂは、図２に示したように、室内機内の決められた位置で蒸発器１ａ、１ｂに接続されるが、図４（ａ）の配管先端部分（室外機側）の先端部分４３を室内機側に収めたい場合や電算機室内あるいは電算機室外に設置したい場合等、設置場所の配管敷設の状況に伴う要求仕様に柔軟かつ容易に現地工事で対応できるように、連結配管（室外側）の長さ寸法４４、連結配管（室外側）４５の配管径を各種揃え、また、図４（ｂ）に示したように連結配管Ｒ部分４７を付けたパターンも備えている。
【００３２】
図４（ａ）に示したガス側連結配管１５において、連結配管（室外側）４５の立上り配管部分は、地面に垂直になるように接続される仕様とし、かつ長さ寸法を150mm以上確保することにより、冷房時において連結配管４５を通過する液とガスの２相冷媒が、分岐後の配管４６ａ、４６ｂに均等に分配されやすくなり、冷媒を均等に分配させるディストリビュータを使用することなく、本空気調和システムで必要な範囲内の均一な冷媒の分配が可能となる。ゆえに本実施の形態２においては、立上り配管部分の長さ寸法４４は室内機内でmin：150mmを確保する仕様とする。またなるべく立上り配管部分長さは長い方が望ましく、例えば立上り配管部分の長さ寸法４４について50mmごとに連結配管を備えることにより、客先の配管敷設状況により選択を可能にする。ただし、なんらかの影響で冷媒が均一に分配しない場合も考慮して、連結配管内にディストリビュータを設ける仕様の連結配管も備えることも可能である。
【００３３】
また、室外機側からの配管と連結配管１５の接続をロウ付接続で行いたい場合は、室外機側からの配管と連結配管径が同一であることが望ましく、連結配管先端部分（室外側）４３の外径は機種標準配管径が22.2mmの場合、例えば外径が25.88 mmの連結配管を備えることにより、リニューアル時の省工事性を達成できる。また、機種標準の配管径より小さい径の配管を流用したい場合は、容量制御による運転により可能となる場合もあるので、19.05 mmの径も備えている。すなわち、配管径を標準の±１ランクまで備えている。
【００３４】
次に、連結配管の先端配管先端部分４２ａ、４２ｂ、４３の配管加工方法について述べる。図４（ａ）に示した配管先端部分４２ａ、４２ｂ、４３の加工を、図４（ｃ）に示すフレア加工５４、図４（ｄ）に示すフランジ５５等々を備えることにより、以下の効果を得ることができる。特に電算機室においては火気の使用を嫌う傾向にあるが、火気を使用しないでよいような連結配管仕様を備えることにより、連結配管部分周辺の配管工事において現地の施工に頼る部分が減少し、現地施工による配管の曲げ（曲げ部分は圧損増加の懸念がある。）や接続方法等により冷媒の挙動への影響が生じることが少なくなる。  
【００３５】
また、連結配管先端部分４３（室外側）の先端部分を電算機室外に設置できることにより、室内機側熱交換器のメンテナンスや交換等の際、冷媒回収、真空引、冷媒充填等の作業において、ボンベや真空引装置、配管接続用工具（ロウ付治具）等の電算機室内にあまり持ち込みたくない工具類を電算機室内に持込むことなく、上記作業が可能となる。
【００３６】
また、リニューアル対応でCFC冷媒やHCFC冷媒の冷凍サイクル装置で使用した接続配管を再利用する場合、既存の配管径及び接続方法に幅広く対応することで、省資源・省工事性を達成することができる等、結果として、客先の要求仕様に柔軟かつ容易に応えられる範囲を広げることが可能となる。
【００３７】
さらに、電算機室用空気調和システムにおいては、重要データを保管しているサーバー類の保護の為、室内の温度管理を徹底しているため、故障またはメンテナンス時に１台の空気調和システムが完全に停止することは望ましくなく、冷媒回路が互いに独立な２冷媒回路を有する室内機の場合は室内機内の一方の冷媒回路が使用不能となっても、片側の冷媒回路のメンテナンスを行いながら、もう一方の冷媒回路により運転が継続できる。しかし、連結配管を用いた１冷媒回路では冷媒回路が１系統のみであるので、片側の冷媒回路のメンテナンスを行いながら運転を継続する場合、連結配管分岐後の片側（メンテナンス側）の冷媒の流れを閉止する必要がある。以下にこの点について効率的にメンテナンスを実施できる方法を述べる。
【００３８】
連結配管の応用例として、図４（ｅ）に示したように、連結配管（室内側）４６ａ、４６ｂの部分において、配管ポート４８ａ、４８ｂ並びに冷媒の流れを閉止させる為の閉止弁４９ａ、４９ｂ及び５０ａ、５０ｂを配管ポート４８ａ、４８ｂの前後にそれぞれ設けることにより、片側の熱交換器（冷媒回路）を用いて運転を継続しながら、もう一方の熱交換器について、メンテナンスや交換等を行う際の冷媒回収、真空引、冷媒充填等の作業において、工事の作業性が大幅に向上する。また、この工事性を重要視したい場合は、連結配管の分岐配管部分の長さ寸法５６ａ、５６ｂを長くすることにより、冷媒回収、真空引、冷媒充填等の作業時において、ボンベや真空引装置、配管接続用工具（ロウ付治具）等工具類を電算機室内に持込むことなく工事可能となる。また、メンテナンスの際に多量の冷媒を抜いてしまうことは資源の無駄であり、さらに、冷媒回収作業が発生して工事の作業性が損なわれるため、配管ポート４８ａ、４８ｂ（先端にはチェックジョイント等を備えている。）、閉止弁４９ａ、４９ｂ及び５０ａ、５０ｂを活用することにより、冷媒を捨てることなく工事を実施できる。またその際、冷媒過充填状態となるため運転が不安定になる可能性があるが、片側の熱交換器についてのメンテンス時の運転状態を安定させるために、本空気調和システムの制御仕様に片側冷媒回路メンテナンスモードを設けて、運転状態を制御することにより、運転が不安定な状態になることを防ぐことができる。ここで、片側冷媒回路がメンテナンス中であることを制御上認識させる（例えば基板上のディップスイッチでの切替え等を利用する等の方法がある。）ことが重要であり、制御仕様の詳細については、冷媒制御の従来技術の組合せにて対応できる。
【００３９】
基本的な制御としては、圧縮機の周波数を抑制することとなる。また、室外機は十分な容量のアキュームレータを備えており、室内機の片側冷媒回路分の冷媒分が増加しても、通常の運転で問題は生じない。しかし、現地施工時に冷媒充填を行うため、冷媒配管内の冷媒充填量は物件によりまちまちであり、例えば、オプションによってアキュームレータの液面検知を設けて、冷媒過充填状態による高圧上昇に関連する異常を検知することができるため、これを利用して安全な運転を実施するということも可能である。
【産業上の利用可能性】
【００４０】
本発明に係る空気調和システムは、電算機用空気調和システム等に適用できる。
【図面の簡単な説明】
【００４１】
【図１】実施の形態１に係る電算機用空気調和システムにおいて、室内機の容量に対して、1/2容量の室外機を用いる1：1/2×２台接続の場合のシステム構成及び冷媒配管系統の概念図である。
【図２】実施の形態１に係る電算機用空気調和システムにおいて、室内機の容量に対して、同一容量の室外機を用いる1：1接続の場合のシステム構成及び冷媒配管系統の概念図である。
【図３】実施の形態１に係る電算機用空気調和システムにおいて、室内機1台と室内機の容量に対して1/2の能力の室外機２台の接続時（２冷媒系統）、又は、室内機の容量に対して同一容量の室外機の1：1接続の選択時に、室外機の設置スペースに制約がある場合の室外機設置場所の状況の一例を示す図である。
【図４】実施の形態２に係る電算機用空気調和システムにおいて、２冷媒回路を有する（冷媒回路が独立）室内機1台に対して、同一容量の室外機を用いる場合で、室内機と室外機間の冷媒配管を1系統とする場合の連結配管の一例を示す図である。
【図５】従来の圧縮機が室外機側に設置されたスプリット型の電算機用空気調和システムの構成（16、20馬力システム）及び、実施の形態１に係る電算機用空調機スプリット型のリニューアル対象物件のシステム構成及び冷媒配管系統を示す概念図である。
【図６】従来の圧縮機が室外機側に設置されたスプリット型の電算機用空気調和システムの構成（10馬力システム）及び、実施の形態１に係る電算機用空気調和システムのスプリット型のリニューアル対象物件のシステム構成及び冷媒配管系統を示す概念図である。
【図７】従来の圧縮機が室内機側に設置されたリモート型の電算機用空気調和システムのリニューアル対象物件のシステム構成及び冷媒配管系統の一例を示す図である。
【符号の説明】
【００４２】
１ａ、１ｂ  蒸発器、２ａ、２ｂ  冷媒絞り装置、３  送風機、４  室内機、５ａ、５ｂ、５ｃ、５ｄ  圧縮機、６ａ、６ｂ、６ｃ  アキュームレータ、７ａ、７ｂ、７ｃ  凝縮器、８ａ、８ｂ、８ｃ  送風機、９  第１室外機（１：1/2×２接続）、１０  第２室外機（１：1/2×２接続）、１１ａ、１１ｂ  室外機と室内機とをつなぐガス側冷媒配管、１２ａ、１２ｂ  室外機と室内機とをつなぐ液側冷媒配管、１３ａ、１３ｂ  バルブ、１４  室外機（１：１接続）、１５  ガス側連結配管、１６  液側連結配管、１７ａ、１７ｂ  室内機のガス側配管出口、１８ａ、１８ｂ  室内機の液側配管入口、１９  室外機ガス側入口バルブ、２０  ガス側冷媒配管、２１  室外機液側出口バルブ、２２  液側冷媒配管、２３  冷却器、２４  再熱器、２５  電磁弁、２６  圧縮機、２７  送風機、２８  加湿器、２９  温度調節器、３０  電気ヒータ、３１  室内機、３２ａ、３２ｂ  凝縮器、３３ａ、３３ｂ  送風機、３４ａ、３４ｂ  室外機（１：1/2×２接続）、３５  室外機（1：1接続）、３６ａ、３６ｂ  室外機と室内機とをつなぐ冷媒配管（ガス、液各１）、３７  第１空スペース、３８  第２空スペース、３９  室外機（1：1接続）、４０ａ、４０ｂ  室外機（１：1/2×２接続）、４１  分岐配管と連結後配管の集合するパンツ部分、４２ａ、４２ｂ  連結配管先端部分（室内側）、４３  連結配管先端部分（室外側）、４４  連結配管（室外側）長さ寸法、４５  連結配管（室外側）、４６ａ、４６ｂ  連結配管（室内側）、４７  連結配管Ｒ部分（室外側）、４８ａ、４８ｂ  配管ポート、４９ａ、４９ｂ  閉止弁（室外機側）、５０ａ、５０ｂ  閉止弁（室内機側）、５４  フランジ接続(連結配管室外機側接続)、５５  フレア接続(連結配管室外機側接続)、５６ａ、５６ｂ  連結配管の分岐配管部分の長さ寸法、６１  室内機、６２ａ  第１室外機、６２ｂ  第２室外機、６３ａ、６３ｂ  冷媒配管（ガス／液）、６４ａ、６４ｂ  集中操作機と第１室外機と第２室外機とを結ぶ伝送線、６５  集中操作機、７１  室内機、７２  室外機、７３ａ、７３ｂ  冷媒配管（ガス／液）、７４  集中操作機と室外機とを結ぶ伝送線、７５  集中操作機、７６  メンテナンス必要スペース、８０〜８４  空気調和システム。
【図１】
2006275457.tif 000003
【図２】
2006275457.tif 000004
【図３】
2006275457.tif 000005
【図４】
2006275457.tif 000006
【図５】
2006275457.tif 000007
【図６】
2006275457.tif 000008
【図７】
2006275457.tif 000009